(57)【特許請求の範囲】
【請求項１】
ハウジング内にポンプ及び配管類を収納すると共に、該ハウジング内に発熱機器を収納する収納空間を仕切部材を用いて設け、該収納空間内に収納された発熱機器を冷却する冷却機構とを備え、
前記冷却機構は、前記ハウジング内で前記収納空間の外側に前記仕切部材に対向して所定の間隙を設けて排気部が配置された送風機を備え、前記仕切部材の前記送風機の排気部に対向する位置には前記送風機の排気部からの風が通過する通風部を設け、
前記排気部の前記仕切部材への投影像の一部が前記通風部に重なり、一部が該仕切部材に重なることを特徴とする給水装置。
【請求項２】
請求項１に記載の給水装置において、
前記送風機の排気部の面積は前記仕切部材の通風部の面積と同等以上であることを特徴とする給水装置。
【請求項３】
請求項１又は２に記載の給水装置において、
前記通風部は前記仕切部材の一部に設けたことを特徴とする給水装置。
【請求項４】
請求項１乃至３のいずれか１項に記載の給水装置において、
前記収納空間仕切部材の通風部は円形の開口部であり、
前記送風機の送風羽根の回転軸と前記開口部の中心位置とが同心上に配置されていることを特徴とする給水装置。
【請求項５】
請求項１乃至３のいずれか１項に記載の給水装置において、
前記通風部が設けられた前記収納空間仕切部材側面と、前記送風機の排気部の面とが所定角度の傾きを有して対向配置されていることを特徴とする給水装置。
【請求項６】
請求項１乃至５のいずれか１項に記載の給水装置において、
前記冷却機構は、前記ハウジングの外部から取り込んだ空気を前記送風機に導く外気取込ダクトをさらに備えたことを特徴とする給水装置。
【請求項７】
請求項１乃至６のいずれか１項に記載の給水装置において、
前記冷却機構は前記収納空間に収納された発熱機器の上方に設けた仕切部材に前記通風部から流入した空気を排出する開口を設けたものであることを特徴とする給水装置。
【請求項８】
請求項１乃至７のいずれか１項に記載の給水装置において、
前記ハウジング内には前記収納空間の外部にさらに他の発熱機器を設置したことを特徴とする給水装置。
【請求項９】
請求項８に記載の給水装置において、
前記他の発熱機器は前記送風機の吸気口側に配置したことを特徴とする給水装置。
【請求項１０】
請求項８又は９に記載の給水装置において、
前記発熱機器及び前記他の発熱機器は前記ポンプの上部に配置したことを特徴とする給水装置。
【請求項１１】
請求項１乃至１０のいずれか１項に記載の給水装置において、
前記収納空間内に配置された発熱機器はインバータ装置であることを特徴とする給水装置。
【請求項１２】
請求項８乃至１０のいずれか１項に記載の給水装置において、
前記他の発熱機器は制御盤であることを特徴とする給水装置。
【発明の詳細な説明】
【技術分野】
【０００１】
本発明は、水道の水を集合住宅やビルなどの給水場所へ給水する給水装置に関し、特に、ハウジング（キャビネット）内にポンプ、配管類、該ポンプを駆動制御するためのインバータや制御盤などの発熱機器、該発熱機器を冷却するための冷却機構を備えた給水装置に関する。
【背景技術】
【０００２】
この種の給水装置の一つに、例えば水道本管に接続し、水道本管からの水道水をポンプで所定の水圧に加圧して集合住宅やビルなどの末端の需要場所に給水するように構成されたものがある。この給水装置は、ポンプと、ポンプに接続された配管と、配管に取り付けられた圧力センサや各種弁や圧力タンクなどの機器とを備えている。また、ポンプを駆動するモータと、モータに電力を供給する駆動電源であるインバータ装置と、ポンプの運転を制御する制御盤とを備え、これらインバータ装置や制御盤がポンプや配管類などの機器と共にハウジング（キャビネット）内に収納されている。
【特許文献１】特開２００５−５４７３０号公報
【発明の開示】
【発明が解決しようとする課題】
【０００３】
給水装置のインバータ装置や制御盤は多くの電子機器で構成され、給水装置の運転時に熱を発生する。特に高負荷運転時には、モータ、インバータ装置、制御盤の発熱機器が発する熱で、ハウジング内が高温になる。インバータ装置や制御盤などの電子機器で構成される発熱機器は、使用環境温度が高すぎると電子機器の寿命が大幅に短くなったり壊れたりするため、これらの発熱機器の使用環境温度の上昇は極力抑制する必要がある。一方、給水装置は屋外に設置されることが多く、運転中の騒音を抑制する必要もあり、ハウジングは機密性が高く放熱性が悪いものとなりがちである。
【０００４】
そこで、ハウジング内に送風機（ファン）を設置して、該送風機からの風を発熱機器に直接当てたり、ハウジング内の空気を攪拌することで、発熱機器の使用環境温度の上昇を抑制している。例えば、送風機を設けインバータ装置が収納された収容空間（インバータケース）内に風を送り、インバータ装置を冷却している。これによれば、インバータ装置は十分に冷却されるが、インバータ装置以外の他の発熱機器は十分に冷却されない。
【０００５】
この対策としてインバータ装置以外の発熱機器を冷却する別の送風機をさらに設置することが考えられるが、複数の送風機を設置すると、冷却機構の部品点数が増えてコスト増になると同時に部品点数が多くなることによる故障などの異常が発生する確率が高くなり、メンテナンスの回数が増大する。
【０００６】
一方、インバータケース内に送られた風は、インバータ装置を冷却することで高温となり、インバータケースに設けた開口部などからハウジング内に排出される。ところがこの風は、インバータケース内を通過したことで風量風速が減少しているため、ハウジングの外部に排出されるほどの勢いはない。そのため、ハウジング内に高温の空気が停滞してしまうという問題がある。即ち、発熱機器を冷却した後の高温の空気がハウジング内に滞留し、ハウジング内の温度上昇を抑制するという目的を達成できないという問題がある。
【０００７】
本発明は上述の点に鑑みてなされたもので、冷却機構の部品点数を少なく抑え、簡単な構成で、発熱機器やハウジング内の温度上昇を効果的に抑制できる給水装置を提供することを目的とする。
【課題を解決するための手段】
【０００８】
上記課題を解決するため本発明の給水装置は、ハウジング内にポンプ及び配管類を収納すると共に、該ハウジング内に発熱機器を収納する収納空間を仕切部材を用いて設け、該収納空間内に収納された発熱機器を冷却する冷却機構とを備え、冷却機構は、ハウジング内で収納空間の外側に仕切部材に対向して所定の間隙を設けて排気部が配置された送風機を備え、仕切部材の送風機の排気部に対向する位置には送風機の排気部からの風が通過する通風部を設け、排気部の仕切部材への投影像の一部が通風部に重なり、一部が該仕切部材に重なることを特徴とする。
【０００９】
この構成によれば、送風機から排出された風の一部は、通風部を通って収納空間内の発熱機器に直接当たるので、この風によって発熱機器が冷却される。送風機から排出された残りの風は、収納空間側壁に衝突し、跳ね返されて、ハウジング内に流出する。この風によって、ハウジング内の空気が攪拌されて、ハウジング内の温度上昇が抑制される。また、ハウジング内に他の発熱機器を設置している場合はその発熱機器も冷却される。このように、一台の送風機で収納空間内の発熱機器の冷却とハウジング内の冷却の両方を行うことができ、簡単な構成の冷却機構で、発熱機器やハウジング内の温度上昇を効果的に抑制することができる。
【００１０】
上記のように送風機の排気部の収納空間側壁への投影像は収納空間側壁の通風部と一部が重なるので、重なる部分の送風機からの風は収納空間内の発熱機器に直接当たり該発熱機器を冷却し、重ならない部分の送風機から風は、収納空間側壁に衝突し、跳ね返されて、ハウジング内に流出し、ハウジング内の温度上昇が抑制される。また、ハウジング内に設置された他の発熱機器も冷却され、一台の送風機で収納空間内の発熱機器の冷却とハウジング内の冷却の両方を行うことができる。
【００１１】
また、本発明の給水装置は、上記給水装置において、送風機の排気部の面積は仕切部材の通風部の面積と同等以上であることを特徴とする。
【００１２】
また、本発明の給水装置は、上記給給水装置において、通風部は仕切部材の一部に設けたことを特徴とする。
【００１３】
また、本発明の給水装置は、上記給水装置において、収納空間仕切部材の通風部は円形の開口部であり、送風機の送風羽根の回転軸と開口部の中心位置とが同心上に配置されていることを特徴とする。
【００１４】
また、本発明の給水装置は、上記給水装置において、通風部が設けられた収納空間仕切部材側面と、送風機の排気部の面とが所定角度の傾きを有して対向配置されていることを特徴とする。
【００１５】
上記のように、収納空間側壁と、送風機の排気部とが所定角度の傾きを有して対向配置されるので、収納空間側壁に衝突した風は効率よく跳ね返されて、ハウジング内に流出する。
【００１６】
また、本発明の給水装置は、上記給水装置において、冷却機構は、ハウジングの外部から取り込んだ空気を送風機に導く外気取込ダクトをさらに備えたことを特徴とする。
【００１７】
上記のように、導く外気取込ダクトをさらに備えたことにより、ハウジングの外部から取り入れた風を送風機から排出させることができるので、発熱機器やハウジング内をより効果的に冷却することが可能となる。
【００１８】
また、本発明の給水装置は、上記給水装置において、冷却機構は前記収納空間に収納された発熱機器の上方に設けた仕切部材に通風部から流入した空気を排出する開口を設けたものであることを特徴とする。
【００１９】
また、本発明の給水装置は、上記給水装置において、ハウジング内には収納空間の外部にさらに他の発熱機器を設置したことを特徴とする。
【００２０】
また、本発明の給水装置は、上記給水装置において、他の発熱機器は送風機の吸気口側に配置したことを特徴とする。
【００２１】
また、本発明の給水装置は、上記給水装置において、発熱機器及び他の発熱機器はポンプの上部に配置したことを特徴とする。
【００２２】
また、本発明の給水装置は、上記給水装置において、収納空間内に配置された発熱機器はインバータ装置であることを特徴とする。
【００２３】
また、本発明の給水装置は、上記給水装置において、他の発熱機器は制御盤であることを特徴とする。
【００２４】
また、本発明の給水装置は、ハウジング内にポンプ及び配管類を収納すると共に、該ハウジング内に発熱機器を収納する収納空間を設け、該収納空間内に収納された発熱機器を冷却する冷却機構とを備え、冷却機構は、ハウジング内で前記収納空間側壁に対向して所定の間隙を設けて排気部が配置された送風機を備え、該収納空間側壁の前記送風機の排気部に対向する位置には該送風機の排気部からの風が通過する通風部を設け、送風機の排気部の面積は収納空間側壁の通風部の面積よりも大きいことを特徴とする。
【００２５】
また、本発明の給水装置は、上記給水装置において、収納空間側壁の通風部は円形の開口部であり、送風機の送風羽根の回転軸と開口部の中心位置とが同心上に配置され、開口部の直径よりも前記送風羽根の直径の方が大きいことを特徴とする。
【００２６】
また、本発明の給水装置は、ハウジング内にポンプ及び配管類を収納すると共に、該ハウジング内に発熱機器を収納する収納空間を設け、該収納空間内に収納された発熱機器を冷却する冷却機構とを備え、冷却機構は、ハウジング内で収納空間側壁に対向して所定の間隙を設けて排気部が配置された送風機を備え、該収納空間側壁の送風機の排気部に対向する位置には該送風機の排気部からの風が通過する通風部を設け、送風機の排気部の収納空間側壁への投影像は収納空間側壁の通風部と一部が重なることを特徴とする。
【００２７】
また、本発明の給水装置は、上記給水装置において、通風部の設けられた収納空間側壁と、送風機の排気部とが所定角度の傾きを有して対向配置されていることを特徴とする。
【発明の効果】
【００２８】
本発明の給水装置によれば、簡単な構成の冷却機構で、収納空間に収納された発熱機器とハウジング内との両方を冷却することができ、発熱機器及びハウジング内の温度上昇を効果的に抑制することができる。
【発明を実施するための最良の形態】
【００２９】
以下、添付図面を参照して本発明の実施の形態について説明する。図１及び図２は、本発明の一実施形態にかかる給水装置１の全体構成例を示す図で、図１は概略正面図、図２は概略側面図である。また、図３及び図４は、給水装置１が備えるポンプ及び配管類を示す図で、図３は平面図、図４は背面図である。給水装置１は、構成機器を収納するための箱型状（略直方体状）のハウジング（キャビネット）２を備えている。ハウジング２の内部には、三台のポンプ（縦型ポンプ）Ｐ１，Ｐ２，Ｐ３が並列に設置されている。また、ポンプＰ１，Ｐ２，Ｐ３の周辺には、ポンプＰ１，Ｐ２，Ｐ３に接続される配管や該配管に取り付けられた圧力センサや各種弁や圧力タンクなどの機器（以下、「配管類」という）４０が設置されている。各ポンプＰ１，Ｐ２，Ｐ３のケーシング上には、それぞれモータＭ１，Ｍ２，Ｍ３が一体に取り付けられている。ポンプＰ１，Ｐ２，Ｐ３及び配管類４０は、ベース１０上に設置した架台１１に搭載されている。架台１１の内側にはドレンパン４７が載置されている。
【００３０】
ポンプＰ１，Ｐ２，Ｐ３に接続される配管類４０は、吸込管１３、逆流防止器１４、吸込曲管１６、吐出ヘッダ１７、吐出曲管１８、吐出合流管１９、圧力タンク２１などを備えている。吸込管１３は、その吸込口１２に水道本管（図示せず）に接続され、流出端が仕切弁２６を介して逆流防止器１４に接続されている。
【００３１】
逆流防止器１４の流出端は、仕切弁２７を介して吸込曲管１６に連通している。吸込曲管１６の流出端には、吸込ヘッダＨ１，Ｈ２，Ｈ３がこの順で直列に接続されている。吸込ヘッダＨ１，Ｈ２，Ｈ３にはそれぞれ２つの流出口が設けられている。一方の流出口には、ポンプＰ１，Ｐ２，Ｐ３の吸込口が接続され、他方の流出口は、吸込ヘッダＨ１の場合は吸込ヘッダＨ２の流入口に接続されており、吸込ヘッダＨ２の場合は吸込ヘッダＨ３の流入口に接続されており、吸込ヘッダＨ３の場合は逆流防止弁３０の流入口に接続されている。また、吸込ヘッダＨ１，Ｈ２，Ｈ３は、その内部に切替弁（図示せず）を備えている。これにより、２つの流出口が共に開いている場合と、ポンプＰ１，Ｐ２，Ｐ３に接続される流出口を閉じて他方の流出口を開いている場合との２種類に流路を切り替えることができる。
【００３２】
ポンプＰ１，Ｐ２，Ｐ３の吐出口には、それぞれ吐出管３１，３２，３３が接続され、各吐出管３１，３２，３３はそれぞれボールチェッキ弁Ｂ１，Ｂ２，Ｂ３を介して吐出ヘッダ１７に接続されている。また、各吐出管３１，３２，３３には、それぞれフロースイッチ３４，３５，３６が設けられている。
【００３３】
吐出ヘッダ１７の一端は閉止フランジ３７で閉じられ、他端は吐出曲管１８に接続されている。吐出曲管１８は、所定の形状に曲げられた配管で、吐出曲管１８の流出端は二手に分岐している吐出合流管１９の一方の流入端に接続されている。吐出合流管１９の他方の流入端には逆流防止弁３０が接続されている。吐出合流管１９の流出端には吐出口２０が設けられている。圧力タンク２１は、接続管４４を介して吐出合流管１９に接続されている。また、仕切弁２６の流入口には、吸込側の水圧を検出する圧力センサ４１が設けられ、吐出ヘッダ１７には、吐出側の水圧を検出する圧力センサ４２が設けられている。
【００３４】
モータＭ１，Ｍ２，Ｍ３の回転軸（図示せず）の上端部には、カバーｍ１，ｍ２，ｍ３内に外扇ファンＫ１，Ｋ２，Ｋ３が取り付けられている。モータＭ１，Ｍ２，Ｍ３が回転すると、外扇ファンＫ１，Ｋ２，Ｋ３が回転して風が発生する。発生した風は、カバーｍ１，ｍ２，ｍ３から下方に向かって流れ出る。この風がモータＭ１，Ｍ２，Ｍ３の外周に設けられた放熱フィン（図示せず）の間を通過することによってモータＭ１，Ｍ２，Ｍ３が冷却される。また、モータＭ１，Ｍ２，Ｍ３を通過した風は、下端部からハウジング２内に開放され、ハウジング２内を下方に向かう気流が形成され、ハウジング２内全体の空気が攪拌される。
【００３５】
一方、図１に示すように、ハウジング２内の上部にはインバータ装置（駆動電源）５０が設置されている。インバータ装置５０は、ハウジング２内の上部の正面から見て左側に配置され、略箱型のインバータケース５１に収納されている。インバータ装置５０は、図示しないケーブルを介してモータＭ１，Ｍ２，Ｍ３に可変周波数・電圧の交流電力を供給し、モータＭ１，Ｍ２，Ｍ３を可変速で駆動するようになっている。なお、図１では、インバータケース５１を概略断面図で示している。
【００３６】
また、ハウジング２内の上部には制御盤５５が設置されている。制御盤５５は、ハウジング２内の上部の正面から見て右側に配置され、その構成機器が略箱型のケース５５ａに収納されている。制御盤５５は、圧力センサ４１、４２の圧力検出信号に基づいて、末端の需要場所における給水水圧が所定の圧力となるように、ポンプＰ１，Ｐ２，Ｐ３を可変速運転制御する機能を備えている。
【００３７】
インバータ装置５０や制御盤５５は、給水装置１の運転時に熱を発生する発熱機器である。このため、ハウジング２内には、これら発熱機器を冷却するための冷却機構６０が備えられている。以下、冷却機構６０について詳細に説明する。
【００３８】
図５は、冷却機構６０の構成を示す部分拡大図であり、同図（ａ）は概略側断面図、同図（ｂ）は、同図（ａ）のＡ−Ａ矢視図である。冷却機構６０は、ハウジング２内に設置された送風機（ファン）６１と、外気取込ダクト７１と、インバータケース５１に設けた通風部５２とで構成されている。送風機６１は、インバータケース５１の下面から側方に向かって水平に張り出した載置板５３上に載置され、インバータケース５１の側面５１ａに向かい合う位置に設置されている。送風機６１は、その排気口６２ａとインバータケース５１の側面５１ａとの間に所定寸法の間隙Ｌを有して配置されている。本実施形態では、間隙Ｌの寸法は約１０ｍｍである。
【００３９】
送風機６１は、ケース６２と、ケース６２内に収納された送風羽根６３と、送風羽根６３が固着された回転軸６４と、回転軸６４を回転させるモータ６５と、モータ６５をケース６２内に支持する支持部材６６とを備えて構成されている。ケース６２の前面と背面にはそれぞれ排気口（排気部）６２ａと吸気口（吸気部）６２ｂが設けられている。送風機６１は、排気口６２ａをインバータケース５１の側面５１ａに対向させた状態で、回転軸６４の軸方向が側面５１ａに対して直交するように設置されている。
【００４０】
また、図１に示すように、ハウジング２の側壁２ａ，２ｂにはそれぞれ、ハウジング２内に外気を取り入れる空気取入口３と、ハウジング２内の空気を外部に排出する空気排出口４とが設けられている。空気取入口３は、ハウジング２の正面から見て右側の側壁２ａにおける制御盤５５の下側の位置に設けられている。また、空気排出口４は、正面から見て左側の側壁２ｂにおけるインバータ装置５０の上側の位置に設けられている。
【００４１】
ハウジング２内に設置された外気取込ダクト７１は、その空気流入口７１ａが空気取入口３に直結され、空気流出口７１ｂは、図５に示すように、送風機６１の吸気口６２ｂに対向して若干の間隙を設けて配置されている。送風機６１の排気口６２ａは、インバータケース５１に対向して配置されている。通風部５２は、円形の開口部でその中心位置は、送風機６１の回転軸６４と同心上に配置されている。
【００４２】
ここでは、インバータケース５１の通風部５２の直径寸法Ｄ１と、送風機６１の送風羽根６３（あるいは排気口６２ａ）の直径寸法Ｄ２との関係が、Ｄ２＞Ｄ１となるように通風部５２と送風羽根６３の寸法を設定する。本実施形態では、一例として、Ｄ１＝１００ｍｍであり、Ｄ２＝１２０ｍｍである。これにより、送風機６１による風の一部は通風部５２を通ってインバータケース５１内の収納空間に入り込むが、残りの風はインバータケース５１の側面５１ａに衝突する。インバータケース５１の側面５１ａに衝突する風の範囲を模式的に示せば、図５（ｂ）における斜線で示すＢ部分となる。
【００４３】
図６は、送風機６１による風の流れを説明するための図である。同図に示すように、送風機６１を運転すると、外気取込ダクト７１を通って外部の空気が送風機６１の吸気口６２ｂに吸い込まれ、排気口６２ａから排出される。送風機６１から排出された風の一部は、通風部５２を通ってインバータケース５１内に入る。インバータケース５１内に入った風はインバータ装置５０に当たり、インバータ装置５０を冷却する。この冷却でインバータ装置５０やインバータケース５１内の温度上昇を抑えることができる。
【００４４】
また、インバータケース５１内に入った風は、インバータ装置５０を冷却することで温度が上昇する。この温度が上昇した風は、図１に示すように、インバータケース５１の上面５１ｂに設けた開口部５４からインバータケース５１の外部に排出される。一方、送風機６１から排出された風のうち、通風部５２の外周の側面５１ａに衝突した風は、側面５１ａで跳ね返される。この跳ね返された風は、送風機６１の背面側に配置された制御盤５５の方へ向かう。この風は、図１に示すように、制御盤５５のケース５５ａの外面に沿って流れ、制御盤５５の周囲に滞留する高温の空気を冷却し、制御盤５５から放射される熱を奪う。
【００４５】
また、インバータケース５１の側面５１ａで跳ね返された風は、インバータケース５１の上方へ向かって流れる。この風は、図１に示すように、インバータケース５１とハウジング２の上壁２ｃとの間を通って、空気排出口４からハウジング２の外部に排出される。これにより、ハウジング２内の上方に空気の流れができるので、ハウジング２内の上方に滞留する温かい空気や、インバータケース５１から排出されてインバータケース５１の上部に滞留している高温の空気が、空気排出口４からハウジング２の外部に排出される。これにより、ハウジング２内の温度上昇を抑制する。
【００４６】
さらに、インバータケース５１の側面５１ａで跳ね返された風は、ハウジング２内の下方など、上記以外の様々な方向へ向かって流れる。この風によって、ハウジング２内の全体を循環する大きな循環気流が形成される。この循環気流によって、例えば、ポンプＰ１，Ｐ２，Ｐ３や配管類４０との接触によって冷却された空気がインバータ装置５０や制御盤５５の周囲へ運ばれ、インバータ装置５０や制御盤５５が冷却される。特に、送風機６１による送風と、外扇ファンＫ１，Ｋ２，Ｋ３による送風との両方が合わさることで、ハウジング２内を循環する風の量がより多くなり、ハウジング２内の空気がより効果的に攪拌される。
【００４７】
また、ハウジング２内の全体を循環する循環気流によって、ハウジング２内の上方の比較的温度の高い空気とハウジング２内の下方の比較的温度の低い空気と入れ換えることができる。これにより、ハウジング２内の部分的な温度上昇を抑制でき、ハウジング２内の温度分布を均一化できる。
【００４８】
ところで、ハウジング２内にはインバータ装置５０や制御盤５５などの電気部品類とともに、水を扱うポンプＰ１，Ｐ２，Ｐ３や配管類４０が収納されている。インバータケース５１は、インバータ装置５０を囲むことで、ポンプＰ１，Ｐ２，Ｐ３や配管類４０から水が飛散した場合にこの水がインバータ装置５０にかかることを防止する役割も担っている。ところが、インバータケース５１を設けたことで、ハウジング２内でさらに略密閉された空間が形成され、インバータ装置５０の使用環境温度を下げることが難しくなる。しかしながら、本実施形態の冷却機構６０では、インバータケース５１内にハウジング２の外部の空気を送り込むことができるので、インバータ装置５０の使用環境温度を容易に下げることができる。
【００４９】
また、温かい空気はハウジング２内の上方に溜まり易いため、本来、発熱機器の温度上昇を抑制するためには、発熱機器をハウジング２内の下方に配置するとよい。しかしながら、電気部品類で構成される発熱機器をポンプＰ１，Ｐ２，Ｐ３や配管類４０の下側に配置すると、ポンプＰ１，Ｐ２，Ｐ３や配管類４０から結露などによる水が垂れて発熱機器にかかるおそれがある。そのため、発熱機器は、少なくともポンプＰ１，Ｐ２，Ｐ３や配管類４０の上側に配置する必要がある。そうすると、発熱機器は必然的にハウジング２内の上方に配置しなければならない。これによっても、発熱機器の使用環境温度を下げることが難しくなるが、本実施形態の冷却機構６０では、温度が上昇したハウジング２内の上方の空気を空気排出口４から排出することができるので、ハウジング２内の上方の温度上昇を抑制でき、発熱機器の使用環境温度を下げることができる。
【００５０】
図７は、本発明の他の実施形態にかかる冷却機構６０−２の構成例を示す図である。上記の冷却機構６０では、外気取込ダクト７１の空気流出口７１ｂは、送風機６１の吸気口６２ｂに対して若干の間隙を有した状態で面するように設置していたが、図６に示す冷却機構６０−２では、空気流出口７１ｂを送風機６１の吸気口６２ｂに直接連結させている。このように構成することで、送風機６１にハウジング２の外部から取り込まれた空気だけが吸い込まれるようになるので、送風機６１からさらに低い温度の風が排出されるようになる。
【００５１】
図８は、本発明の他の実施形態例にかかる冷却機構６０−３の構成例を示す図である。上記の冷却機構６０では、インバータケース５１の側面５１ａと送風機６１の排気口６２ａとは平行に対向しているが、図８に示す冷却機構６０−３では、インバータケース５１の側面５１ａと送風機６１の排気口６２ａとが所定角度θの傾きを有して対向している。また、インバータケース５１の側面５１ａの通風部５２と送風機６１の排気口６２ａとは共に円形であり、その大きさはほぼ等しくなっている。図８（ｂ）の実線はインバータケース５１の側面５１ａに設けられた通風部５２であり、二点鎖線６２ａ'は送風機６１の排気口６２ａを送風方向に側面５１ａ上に投影した投影像である。ここに示すように、送風機６１の排気部６２ａのインバータケース５１の側面５１ａへの投影像は、側面５１ａの通風部５２と一部が重なり、一部は側面５１ａと重なる。つまり、送風機６１の送風領域の少なくとも一部が通風部５２以外のインバータケース（仕切部材）５１の側面に対向している、これにより、送風機６１からの風の一部はインバータケース５１内に導かれ、一部は側面５１ａで跳ね返されハウジング２内上部の空気を攪拌する。
【００５２】
なお、送風機の排気部のインバータケース５１の側面への投影像が側面５１ａの通風部５２と一部が重なり一部が側面５１ａと重なるという構成は図８の冷却機構６０−３に限られるものではなく、図５（ｂ）に示す冷却機構でも同様である。
【００５３】
次に、給水装置１の運転について簡単に説明する。吸込口１２から流入した水は、吸込管１３、仕切弁２６、逆流防止器１４、仕切弁２７、吸込曲管１６をこの順に通り、吸込ヘッダＨ１、Ｈ２、Ｈ３に流れ込む。３台のポンプＰ１、Ｐ２、Ｐ３のうちいずれか、例えばポンプＰ１の運転により、吸込ヘッダＨ１からポンプＰ１に吸い込まれた水が加圧される。加圧された水は、吐出管３１、ボールチェッキ弁Ｂ１を通り、吐出ヘッダ１７に流れ込む。吐出ヘッダ１７に流れ込んだ水は、吐出曲管１８、吐出合流管１９を通り、吐出口２０から吐出されて給水場所に給水される。
【００５４】
吐出ヘッダ１７の吐出圧力は圧力センサ４２で監視される。吐出圧力が所定値より低い場合は、先発ポンプ、例えばポンプＰ１が始動し、ポンプＰ１の回転数が最大になると、２台目のポンプ、例えばポンプＰ２を追加運転する。これにより、吸込ヘッダＨ１，Ｈ２からポンプＰ１，Ｐ２に吸い込まれた水が加圧される。加圧された水は、吐出管３２、ボールチェッキ弁Ｂ２を通って吐出ヘッダ１７に流れ込む。
【００５５】
吸込管１３の水圧、即ち水道本管の圧力は、圧力センサ４１で監視されており、水道本管の水圧が十分高く、所定の圧力値を超えている場合は、水道本管からの水をポンプＰ１，Ｐ２，Ｐ３で加圧することなく給水できる。この場合は、吸込口１２から流入する水をポンプＰ１，Ｐ２，Ｐ３を介さずに直接吐出合流管１９に送り、吐出口２０から給水場所に給水する。ここで、逆流防止弁３０は、ポンプＰ１，Ｐ２，Ｐ３の運転時に吐出ヘッダ１７から吐出された水が吸込ヘッダＨ３，Ｈ２，Ｈ１に流れることを防ぐとともに、水道本管の水圧が高い場合は、水道本管からの水をそのまま吐出合流管１９に流すように作用する。
【００５６】
以上、本発明の実施形態を説明したが、本発明は上記実施形態に限定されるものではなく、特許請求の範囲、及び明細書と図面に記載された技術的思想の範囲内において種々の変形が可能である。また、直接明細書及び図面に記載のない何れの形状・構造・材質であっても、本願発明の作用・効果を奏する以上、本願発明の技術的思想の範囲内である。
【００５７】
上記実施形態では、冷却機構６０（６０−２）で冷却する発熱機器がインバータ装置５０であり、発熱機器を収納する収納空間を形成する仕切部材がインバータケース５１である場合を説明したが、本発明の発熱機器は、インバータ装置５０以外の他の種類の電子部品などの発熱機器であってもよいし、仕切部材は、収納空間をハウジング（ハウジング）内の空間と仕切ることができるものであれば、箱型のケース以外にも、板状の囲いなど他の形状の部材であってもよい。
【００５８】
また、上記実施形態では、インバータ装置５０以外の他の発熱機器として、制御盤５５を例に挙げたが、本発明の他の発熱機器は、制御盤５５以外の他の電子部品などであってもよい。また、ハウジング２内における発熱機器の配置も一例であり、他の位置に配置してもよい。
【００５９】
また、上記実施形態では、インバータケース５１に設けた通風部５２が円形の開口部である場合を示したが、本発明の通風部５２は、送風機６１の風を収納空間内に通風させることができるものであれば、他の形状であってもよい。従って、例えばスリット状などに形成することも可能である。また、上記実施形態で示した通風部５２の配置や大きさと、送風機６１の送風羽根６３の配置や大きさはいずれも一例であり、送風機による送風領域の少なくとも一部、特に送風領域の周縁部分の少なくとも一部が通風部以外の仕切部材に対向するように構成されていれば、上記以外の配置や大きさを採用することも可能である。
【００６０】
また、上記実施形態の給水装置１が備えるポンプＰ１，Ｐ２，Ｐ３及び配管類４０の具体的構成は一例であり、本発明の給水装置が備えるポンプ及び配管類は、上記以外の構成を採用することも可能である。
【図面の簡単な説明】
【００６１】
【図１】本発明の一実施形態にかかる給水装置１の正面図である。
【図２】給水装置１の右側面図である。
【図３】給水装置１が備えるポンプＰ１，Ｐ２，Ｐ３及び配管類４０を示す平面図である。
【図４】給水装置が備えるポンプＰ１，Ｐ２，Ｐ３及び配管類４０を示す背面図である。
【図５】冷却機構６０を示す部分拡大図であり、（ａ）は、冷却機構６０の概略側断面図、（ｂ）は、（ａ）のＡ−Ａ矢視図である。
【図６】冷却機構６０による風の流れを説明するための図である。
【図７】他の冷却機構６０−２を示す部分拡大図である。
【図８】他の冷却機構６０−３の構成例を示す図である。
【符号の説明】
【００６２】
１      給水装置
２      ハウジング
３      空気取入口
４      空気排出口
１０    ベース
１１    架台
１２    吸込口
１３    吸込管
１４    逆流防止器
１６    吸込曲管
１７    吐出ヘッダ
１８    吐出曲管
１９    吐出合流管
２０    吐出口
２１    圧力タンク
２６    仕切弁
２７    仕切弁
３０    逆流防止弁
３１，３２，３３  吐出管
３４，３５，３６  フロースイッチ
３７    閉止フランジ
４０    配管類
４１    圧力センサ
４２    圧力センサ
４４    接続管
４７    ドレンパン
５０    インバータ装置（発熱機器）
５１    インバータケース（仕切部材）
５１ａ  側面
５１ｂ  上面
５２    通風部
５３    載置板
５４    開口部
５５    制御盤（他の発熱機器）
５５ａ  ケース
６０    冷却機構
６１    送風機
６２    ケース
６２ａ  排気口
６２ｂ  吸気口
６３    送風羽根
６４    回転軸
６５    モータ
６６    支持部材
７１    外気取込ダクト
７１ａ  空気流入口
７１ｂ  空気流出口
Ｂ１，Ｂ２，Ｂ３  ボールチェッキ弁
Ｈ１，Ｈ２，Ｈ３  吸込ヘッダ
Ｋ１，Ｋ２，Ｋ３  外扇ファン
Ｐ１，Ｐ２，Ｐ３  ポンプ
Ｍ１，Ｍ２，Ｍ３  モータ
ｍ１，ｍ２，ｍ３ カバー
【図１】
0005231761.tif 000002
【図２】
0005231761.tif 000003
【図３】
0005231761.tif 000004
【図４】
0005231761.tif 000005
【図５】
0005231761.tif 000006
【図６】
0005231761.tif 000007
【図７】
0005231761.tif 000008
【図８】
0005231761.tif 000009